(57)【要約】      （修正有）【課題】永久磁石を備えた独立クッション部が着用者の足の経穴に当接し、疲労回復などの効果があり且つ着用後にズレることがなく、しかも履き心地が長時間良好であるフットカバーを提供する。  【解決手段】内編地１８と外編地の間に１枚または２枚の熱接着フィルムを挟んで積層した足裏材２を用い、該足裏材では少なくとも１個の独立クッション部２４において永久磁石を備え、個々の独立クッション部は内編地１８の下に配置され、カバーを着用した際に、永久磁石を備えたクッション部２４が着用者の足の経穴に当接する。  【選択図】図２
0003212979.tif 000002
【実用新案登録請求の範囲】
【請求項１】
内編地と外編地の間に１枚または２枚の熱接着フィルムを挟んで積層した足裏材を用い、該足裏材では少なくとも１個の独立クッション部において永久磁石を備え、これらの独立クッション部を内編地と外編地の間に介在させてから高温で加熱加圧することで全体を一体化することにより、各独立クッション部は内編地の下に配置され、カバーを着用した際に、永久磁石を備えたクッション部が着用者の足の経穴に当接するフットカバー。
【請求項２】
内編地と外編地の間に１枚または２枚の熱接着フィルムを挟み、さらに永久磁石を備えた独立クッション部を内編地と外編地の間に介在させてから高温で加熱加圧することで全体を積層一体化した足裏材に加えて、爪先部、両側辺部および踵周辺部を覆う帯状の周囲編地を用い、帯状の周囲編地を筒状に縫製してから足裏材の全周に縫着することにより、カバーを着用した際に、永久磁石を備えたクッション部が着用者の足の経穴に当接するフットカバー。
【請求項３】
永久磁石を備えた独立クッション部は、中高側面のゴムまたはプラスチック材からなり、該クッション部では、磁性粉末をゴムまたはプラスチックに混入したラバーマグネット材を用いるか、または円板状の磁石片をゴムまたはプラスチック材内に収納したり、中高側面の磁石片を弾性材の表面に貼り付け、カバーを着用した際に、着用者の足の経穴「湧泉」に当接する請求項１または２記載のフットカバー。
【請求項４】
３個の独立クッション部は、いずれも柔軟なゴムまたはプラスチックからなり、少なくとも中間に位置する円形平面の独立クッション部が永久磁石を備える請求項１または２記載のフットカバー。
【請求項５】
３個の独立クッション部において、前方の独立クッション部は足指の付け根部に位置し、且つ後方の独立クッション部は踵部に位置し、比較的大きい前方および後方の独立クッション部は中間のクッション部よりも高く且つ軟質である請求項１または２記載のフットカバー。
【考案の詳細な説明】
【技術分野】
【０００１】
本考案は、永久磁石を備えた独立クッション部が着用者の足の経穴に当接し、疲労回復などの効果があり且つ着用後にズレることがなく、しかも履き心地が長時間良好であるフットカバーに関する。
【背景技術】
【０００２】
フットカバーは、実開平２−３４０４号の図４に示すような短い靴下の一種であり、ソックスカバー、インナーソックス、カバーソックスなどと称する場合もある。女性や若者では、パンプスやスニーカーを素足で履くことがファッションとして定着し、素足で着用する際に着用者の足と靴裏とが直接接触することによる不快感を軽減するために、あらかじめフットカバーを履くことが一般的になっている。フットカバーを履くと、通常、足裏材、爪先部、両側辺部および踵部を覆うけれども、足甲部の大半および足首部は露出することにより、着用時にパンプスやスニーカーからフットカバーの一部が外部から見えないように配慮されており、外観的には、素足にパンプスやスニーカーを直接履いているように見える。
【０００３】
フットカバーは、靴着用時に外部から見えないように履き口の上方開口部が大きくカットされているため、実開平２−３４０４号を除いて外観と着用感を除いて特殊な機能を付与することは少ない。実開平２−３４０４号は、靴下底部において半球形のゲル状の小突起を多数形成した通常の靴下に関し、各該突起には磁石粉、セラミック樹脂、銅粉などを含んでいる。この靴下を常時着用すると、足裏にマッサージのような刺激を常に与えることができ、磁石粉を含有することにより、人体に磁気力を及ぼして血液の循環を促進させるとの作用効果を謳っている。
【０００４】
実開平２−３４０４号は、磁石粉を含む小突起によって足裏から人体に磁気力を及ぼし、血液の循環を促進させると説明するけれども、磁石粉を含む小突起を単に足裏全面に分散させても血液の循環促進の効果は殆ど発生しない。靴下に関して血液循環を高める効果が殆どないという課題を解決するために、磁石片を有する突起を足裏の経穴に当接するように設置するという発明が既に数多く提案されている。例えば、実開平７−３７１７８号は履物や靴中敷に関して開示し、特開平１１−３５０２０４号および特開２００８−２７９１２５号は靴下に関して開示している。
【先行技術文献】
【特許文献】
【０００５】
【特許文献１】実開平２−３４０４号明細書
【特許文献２】実開平７−３７１７８号公報
【特許文献３】特開平１１−３５０２０４号公報
【特許文献４】特開２００８−２７９１２５号公報
【考案の概要】
【考案が解決しようとする課題】
【０００６】
実開平７−３７１７８号では、履物や靴中敷に関して足裏の経穴に対応するように突起状の指圧部材を配置するけれども、着用者の足は靴やサンダルなどの履物内部と完全に一致することなく、その内部で足は多少の余裕を有するのが普通である。このため、実開平７−３７１７８号において、着用者の足が歩行時に履物の内部で微動し、履物や靴中敷に設けた指圧部材を足裏の経穴に常に正確に当接させることは実際上困難である。また、指圧部材はシリコンゴム製などであり、該指圧部材を中敷に接着していると、両者の素材が異なることで使用時に中敷から剥がれやすい。
【０００７】
特開平１１−３５０２０４号および特開２００８−２７９１２５号では、靴下の内面において樹脂やゴム製の突起を設けているが、編地製の靴下は一般に伸縮性が高いため、該靴下に設けた突起は着用時や歩行時にズレやすく、足裏の経穴に常に正確に当接させることは困難である。編地製の靴下において樹脂やゴム製の突起を設けると、素材の感触や伸縮性などが異なるので着用者が違和感を感じやすく、前記と同様に、素材が異なることで突起が靴下から剥がれやすい。しかも、樹脂やゴム製の突起を編地製の靴下に取り付ける際に、複数個の突起の正確な位置決めおよび確実な接着作業が必要であり、余分な作業が加わってコスト高になる。
【０００８】
本考案は、指圧用突起を設けた従来の靴下や靴中敷などに関する前記の問題点を改善するために提案されたものであり、独立クッション部が足裏材から剥離することがなく、該独立クッション部が足の経穴に当接した後にズレることが少ないフットカバーを提供することを目的としている。本考案の他の目的は、独立クッション部を形成しても着用者が違和感を感じることが少なく、履き心地が良好であるフットカバーを提供することである。本考案の別の目的は、独立クッション部を足裏材に設置する作業が容易であり、余分な作業を殆ど要しないフットカバーを提供することである。
【課題を解決するための手段】
【０００９】
本考案に係るフットカバーは、内編地と外編地の間に１枚または２枚の熱接着フィルムを挟んで積層した足裏材を用い、該足裏材では少なくとも１個の独立クッション部において永久磁石を備える。このフットカバーでは、これらの独立クッション部を内編地と外編地の間に介在させてから高温で加熱加圧することで全体を一体化することにより、各独立クッション部は内編地の下に配置され、カバーを着用した際に、永久磁石を備えたクッション部が着用者の足の経穴に当接する。
【００１０】
本考案に係るフットカバーは、内編地と外編地の間に１枚または２枚の熱接着フィルムを挟み、さらに永久磁石を備えた独立クッション部を内編地と外編地の間に介在させてから高温で加熱加圧することで全体を積層一体化した足裏材に加えて、爪先部、両側辺部および踵周辺部を覆う帯状の周囲編地を用いている。このフットカバーでは、帯状の周囲編地を筒状に縫製してから足裏材の全周に縫着することにより、カバーを着用した際に、永久磁石を備えたクッション部が着用者の足の経穴に当接する。
【００１１】
本考案に係るフットカバーにおいて、永久磁石を備えた独立クッション部は、中高側面のゴムまたはプラスチック材からなり、該クッション部では、磁性粉末をゴムまたはプラスチックに混入したラバーマグネット材を用いるか、または円板状の磁石片をゴムまたはプラスチック材内に収納したり、中高側面の磁石片を弾性材の表面に貼り付け、カバーを着用した際に、着用者の足の経穴「湧泉」に当接する。また、３個の独立クッション部は、いずれも柔軟なゴムまたはプラスチックからなると好ましく、少なくとも中間に位置する円形平面の独立クッション部が永久磁石を備える。さらに、３個の独立クッション部において、前方の独立クッション部は足指の付け根部に位置し、且つ後方の独立クッション部は踵部に位置し、比較的大きい前方および後方の独立クッション部は中間のクッション部よりも高く且つ軟質である。
【考案の効果】
【００１２】
本考案に係るフットカバーでは、足裏材は柔軟であっても靴下の編地のように伸びないので、独立クッション部が着用者の足の経穴に当接すると着用後にズレることがなく、足の経穴を常に刺激することにより、経穴「湧泉」の場合には疲労が回復し且つ腰痛を緩和する。本考案に係るフットカバーは、内編地と外編地の間に熱接着フィルムを挟んで積層した足裏材を用い、内編地と外編地の間に個々の独立クッション部を挟んでいるから、該独立クッション部が足裏材から脱離することは起こらない。
【００１３】
本考案に係るフットカバーでは、独立クッション部は内編地の下側に位置し、該内編地だけが着用者の足と常に接触するので、独立クッション部を設置しても着用時や歩行時に違和感を感じることが少なく、該フットカバーの履き心地は常に良好である。本考案のフットカバーにおいて、個々の独立クッション部は足裏材の内編地と外編地の間に配置するだけでよく、特定の接着作業などの余分な作業を殆ど要しない。
【図面の簡単な説明】
【００１４】
【図１】本考案に係るフットカバーを示す全体斜視図である。
【図２】本考案のフットカバーで用いる足裏材の平面図である。
【図３】図２のＡ−Ａ線に沿って切断した足裏材の断面図である。
【図４】図２の足裏材を製造する前の各素材の配置を示す展開側面図である。
【図５】永久磁石を備えた別の独立クッション部を示す足裏材の部分断面図である。
【図６】永久磁石を備えたさらに別の独立クッション部の別の例を示す部分断面図である。
【考案を実施するための形態】
【００１５】
本考案に係るフットカバー１は、通常、足裏材２および帯状の周囲編地３からなり、該周囲編地は爪先部５、両側辺部６，６および踵周辺部７を覆う。帯状の周囲編地３は、縫着線８で筒状に縫製してから、足裏材２の周囲に周囲編地３の下周辺を環状に縫着線１０で縫着すればよい。このフットカバーは、図１に示すような商品態様が一般的であるけれども、周囲編地を長筒状にすることで通常の靴下と同様の形状にしたり、該周囲編地を省略することで靴中敷と同様の用途に用いることも可能である。
【００１６】
フットカバー１は、着用者が足１２に履いた際には、図１に示すような立体形状になり、非着用状態では周囲編地３が畳まれてほぼ平らになる。着用時のフットカバー１は、図１に示すように、着用者の足１２の足裏部、爪先部、両側辺部および踵部を覆い、足甲部の大半および足首部は露出する。フットカバー１は、着用時にパンプスやスニーカーなどの靴から露出しないように、周囲編地３の上周縁１４によって構成される履き口１６が大きく開いている。
【００１７】
フットカバー１で用いる足裏材２は、図２に示すような足形平面を有し、図４に例示するように、内編地１８と外編地２０の間に１枚または２枚の熱接着フィルム２２を挟んで高温で加熱加圧することで全体を積層一体化し、積層前または積層後に適宜の足形に裁断する。内編地１８と外編地２０は、ナイロンとポリウレタンの混合編地であっても、さらに綿を加えて感触性を良くすることも可能であり、他の素材の編地を使用してもよい。着用者の肌と接する内編地１８は、感触性の良い綿または綿混編地であると好ましい。また、熱接着フィルム２２は、一般にポリウレタン製であるけれども、伸縮性が多少低い他のプラスチックフィルムも使用可能である。
【００１８】
足裏材２の製造に関して、図４に例示するように２枚の熱接着フィルム２２を使用すると、独立クッション部２４〜２８の固定は容易であり、あらかじめ外編地２０上の熱接着フィルム２２を加熱軟化させ、該フィルム上に独立クッション部２４〜２８を仮止めしてから、全体を高温で加熱加圧してもよい。熱接着フィルム２２が１枚であれば、内編地１８と独立クッション部２４〜２８の表面との間が不接着であっても、または該クッション部の表面に接着剤を塗布または貼着してもよい。
【００１９】
足裏材２では、内編地１８と外編地２０の間に独立クッション部２４〜２８が配置され、その内の少なくとも１個の独立クッション部２４が永久磁石を備える。編地１８，２０を含む全体を積層一体化することにより、足裏材２において個々の独立クッション部２４〜２８を固定し、各独立クッション部は総て内編地１８の下側に位置する。この際に、永久磁石を備えた独立クッション部は２個以上でもよく、個々の独立クッション部を足裏材２においてそれぞれ異なる位置に配置すればよい。
【００２０】
永久磁石を備えた独立クッション部２４は、通常、足裏との触感を害しないように中高側面であって、図２のように平面形状は円形、楕円形、面取り四角形などの湾曲周面を有する。独立クッション部２４は、他の独立クッション部２６，２８と同様に同一または異なる柔軟なゴムまたは軟質プラスチック製であり、高い指圧効果を付与するために、両クッション部よりも小さく且つ低くても、両クッション部よりも硬度を高めに設定する。独立クッション部２４は、図３のように磁性粉末をゴムまたはプラスチックに混入したラバーマグネット材３０であっても、図５のように円板状の磁石片３２を弾性材３４の下向きの有底孔３６内に収納しても、図６のように中高側面の磁石片３８を弾性材４０の表面に貼り付けてもよい。
【００２１】
永久磁石を備えた独立クッション部２４は、図２と図３において、カバーを着用した際に着用者の足の経穴に当接するように配置するが、図２の「湧泉」ではない他の経穴位置に配置してもよい。一般に、人の足裏には約６０〜７０の経穴（反射区）があり、体が異変を起こすと足裏に対応する反射区が硬くなったり、カサカサしたり、皮膚の色が変色するなどの状態になる。経穴「湧泉」は、疲労回復させ、体力や気力を高めて体全体を元気にする万能のツボである。図２の独立クッション部２４は、経穴「湧泉」に当接するように、土踏まずのやや上の中央で足の指を曲げて凹んだ個所に配置する。
【００２２】
一方、永久磁石を備えた独立クッション部を経穴「失眠」の位置に設置すれば、神経を落ち着かせて不眠を解消して気分をリラックスさせる効果がある。経穴「失眠」の位置は、第２指と第３指の間から踵に向かって結んだ線と内と外の踝とを結んだ線の交差点にあり、その位置は後方の独立クッション部２８の中に含まれる。この独立クッション部を足裏の指の付け根部分の位置に設置すると、首のこりや肩こりに効くツボがあって内臓を強くする効果もあり、その位置は前方の独立クッション部２６の中に含まれる。また、永久磁石を備えた独立クッション部を土踏まずの経穴「足心」の位置に設置すると、腎臓の機能を高めて足のむくみを取り、胃腸を含む消化器官の調子を整え、胃腸の不調に伴う胸焼けにも効果がある。
【００２３】
通常の独立クッション部２６，２８は、永久磁石を備えた独立クッション部２４よりも軟質であり、図２のように楕円形、円形、面取り四角形などの湾曲周面を有し、図２の場合では、独立クッション部２４よりも平面形状が大きい。両独立クッション部２６，２８の側面形状は、独立クッション部２４と同様に、足裏との触感を害しないように側面が中高状である（図３、図４参照）。図２において、最も大きい前方の独立クッション部２６は、親指から第５指の各付け根部および母指球部と小指球部の前方に位置し、後方の独立クッション部２８は踵部のほぼ全域をカバーする。通常の独立クッション部２６，２８は、独立クッション部２４からの刺激を緩和するとともに、歩行時において足に対する衝撃を緩衝する効果がある。
【００２４】
フットカバー１において、帯状の周囲編地３は、通常、伸縮性を備えた薄い編地で編成すればよく、ナイロン編地であっても、ナイロンとポリウレタンの混合編地または綿などの他の素材を加えた編地でもよい。周囲編地３には、履き口１６の上周縁１４に沿って同じ編地の細幅テープ４２を内側に貼り付ける。また、踵周辺部７において、同じ編地の半楕円片４４を履き口１６の周縁に接してカバー内側に貼り付け、該半楕円片の上に横長の樹脂部４６を塗布する。樹脂部４６によって着用者の足１２の踵部との密着性を高め、フットカバー１が足１２からズレれることを防止できる。
【００２５】
フットカバー１は、永久磁石を備えた中高側面の独立クッション部２４を設置することにより、着用時に独立クッション部２４が足１２の経穴を常に刺激することにより、経穴「湧泉」の場合には疲労を回復させ且つ腰痛を緩和し、体力や気力を高めて体全体を元気にする。フットカバー１は、内編地１８と外編地２４の間に個々の独立クッション部２６〜２８を挟んでいるから、各独立クッション部が足裏材２から脱離することは起こらない。フットカバー１において、足裏材は柔軟であっても靴下の編地のように伸びないので、独立クッション部が着用者の足の経穴に当接すると着用後にズレることもない。
【実施例１】
【００２６】
次に、本考案を実施例に基づいて説明するが、本考案は実施例によって限定されるものではない。フットカバー１の足裏材２を製造するために、図４に示すように綿編地の内編地１８、ナイロン編地の外編地２０、独立クッション部２４〜２８および２枚の熱接着ポリウレタンフィルム２２，２２を用いる。独立クッション部２４〜２８は、同一または異なる柔軟なゴムまたは軟質プラスチック製である。
【００２７】
中間の独立クッション部２４は、磁性フェライト粉末をゴムまたはプラスチックに混入して着磁されたラバーマグネット材３０からなり、異方性磁石として強い磁力を有する。独立クッション部２４は、図２と図３において、カバーを着用した際に着用者の足の経穴「湧泉」に当接するように、土踏まずのやや上の中央で足の指を曲げて凹んだ個所に配置する。つまり、独立クッション部２４の位置は、足裏材２において全長の１／３の個所であって横方向の中央に配置する。
【００２８】
中間の独立クッション部２４は、直径１５ｍｍの円形平面を有し、高さ５ｍｍに達する中高側面である。前方の独立クッション部２６は、横５８ｍｍおよび縦４０ｍｍの楕円形平面を有し、高さ１０ｍｍに達する中高側面である。後方の独立クッション部２８は、直径３８ｍｍの円形平面を有し、高さ８ｍｍに達する中高側面である。中間の独立クッション部２４は、高い指圧効果を付与するために、両クッション部２６，２８よりも硬度を高めに設定する。
【００２９】
足裏材２を製造するには、あらかじめ外編地２０および下方のポリウレタンフィルム２２を重ねて加熱軟化させ、各独立クッション部２４〜２８を該フィルム上に押し付けて仮止めする。次に、上方のポリウレタンフィルム２２および内編地１８を重ね合わせてから、プレスによって高温で加熱加圧することで全体を積層一体化する。内編地１８、外編地２０および熱接着ポリウレタンフィルム２２，２２が長寸で連続加工する場合には、前記のプレスにおいて、同時に足形平面に打ち抜けばよい。
【００３０】
足裏材２では、内編地１８と外編地２０の間に独立クッション部２４〜２８が配置され、その内の少なくとも１個の独立クッション部２４が永久磁石を備える。編地１８，２０を含む全体を積層一体化することにより、足裏材２において個々の独立クッション部２４〜２８が固定され、各独立クッション部は総て内編地１８の下側に位置する。この際に、永久磁石を備えた独立クッション部は２個以上でもよく、該独立クッション部を足裏材２においてそれぞれ異なる位置に配置する。
【００３１】
フットカバー１を製造する際には、足裏材２および帯状の周囲編地３を用いる。ナイロン編地の周囲編地３には、履き口１６の上周縁１４に沿って同じ編地の細幅テープ４２を内側に貼り付ける。また、踵周辺部７において、同じ編地の半楕円片４４を履き口１６の周縁に接してカバー内側に貼り付け、該半楕円片の上に横長の樹脂部４６を塗布する。帯状の周囲編地３は、縫着線８で筒状に縫製してから、その下周辺を足裏材２の周囲に環状に縫着線１０で縫着する。
【００３２】
縫製完了後のフットカバー１は、永久磁石を備えた中高側面の独立クッション部２４を有し、着用時に独立クッション部２４が足１２の経穴「湧泉」を常に刺激することにより、疲労を回復させ且つ腰痛を緩和し、体力や気力を高めて体全体を元気にする。フットカバー１は、内編地１８と外編地２４の間に個々の独立クッション部２６〜２８を挟んでいるから、各独立クッション部が足裏材２から脱離することは起こらない。フットカバー１において、足裏材２は柔軟であっても靴下の編地のように伸びないので、独立クッション部が着用者の足の経穴に当接すると着用後にズレることもない。
【実施例２】
【００３３】
実施例２の足裏材（図示しない）は、フットカバー１の足裏材２と同様に製造するけれども、通常の独立クッション部２６，２８を設けず、永久磁石を備えた３個の独立クッション部だけを配置する。この独立クッション部は、同一または異なる柔軟なゴムまたは軟質プラスチックの弾性材３４からなり、該弾性材には、図５のように下向きの有底孔３６を形成し、該有底孔内に円板状の磁石片３２を収納して固着する。
【００３４】
３個の独立クッション部２４は、直径１５ｍｍの円形平面を有し、高さ２〜５ｍｍに達する中高側面である。これらの独立クッション部は、高い指圧効果を付与するために、通常のクッション部２６，２８よりも硬度を高めに設定する。
【００３５】
３個の独立クッション部２４に関して、１個目は、足の経穴「湧泉」に当接するように、土踏まずのやや上の中央で足の指を曲げて凹んだ個所に設置し、経穴「湧泉」を刺激して疲労回復させ、体力や気力を高めて体全体を元気にする。２個目は、経穴「失眠」に当接するように、第２指と第３指の間から踵に向かって結んだ線と内と外の踝とを結んだ線とが交差する位置に設置し、経穴「失眠」を刺激して神経を落ち着かせて不眠を解消して気分をリラックスさせる。３個目は、足の経穴「足心」に当接するように、土踏まずのほぼ中央の個所に設置し、経穴「足心」を刺激して腎臓の機能を高めて足のむくみを取り、胃腸を含む消化器官の調子を整え、胃腸の不調に伴う胸焼けを防ぐ。
【符号の説明】
【００３６】
１  フットカバー  
２  足裏材  
３  周囲編地
１８  内編地
２０  外編地
２２  熱接着フィルム
２４   永久磁石を備えたクッション部
２６，２８  独立クッション部
３０  ラバーマグネット材
３２  磁石片
【図１】
0003212979.tif 000003
【図２】
0003212979.tif 000004
【図３】
0003212979.tif 000005
【図４】
0003212979.tif 000006
【図５】
0003212979.tif 000007
【図６】
0003212979.tif 000008